(57)【要約】【課題】  外出時等における持ち運びを容易にする。【解決手段】  電力供給手段を有する充電台１１０、充電台１１０の上面に載置される二次電池を備えた電気機器の周側部の少なくとも一部を保持することにより電気機器を充電台１１０に対して位置決めするガイド部材２１０、及び、ガイド部材２１０を充電台１１０の上方に離間させた状態で保持させるべく充電台１１０に連結される連結部材３１０を備え、充電台１１０の後部に連結部材３１０が挿入される受け部１１０ｃを形成し、連結部材３１０を受け部１１０ｃに高さ方向の位置が可変となるように挿入する。【選択図】      図１１
2005348600.tif 000002
【特許請求の範囲】
【請求項１】
電力供給手段を有する充電台と、この充電台の上面に載置される二次電池を備えた電気機器の周側部の少なくとも一部を保持することにより当該電気機器を前記充電台に対して位置決めするガイド部材と、このガイド部材を前記充電台の上方に離間させた状態で保持させるべく当該充電台に連結される連結部材とを備えた充電装置において、前記充電台の後部に前記連結部材が挿入される受け部が形成され、前記連結部材が前記受け部に高さ方向の位置が可変となるように挿入されるようにしたことを特徴とする充電装置。
【請求項２】
前記受け部の上部位置及び下部位置のうちの少なくとも上部位置に係合窪みが形成されると共に、前記連結部材の下部位置に前記係合窪みに係合可能な突起部が形成され、この突起部が前記上部位置の係合窪みに係合されることにより高さ方向の位置が保持可能とされていることを特徴とする請求項１記載の充電装置。
【請求項３】
前記受け部にスライド可能に挿入されると共に、前記連結部材をスライド可能に受け入れる受入部が形成された中継部材を備え、前記連結部材は前記中継部材を介して前記受け部に挿入されるように構成されていることを特徴とする請求項１記載の充電装置。
【発明の詳細な説明】
【技術分野】
【０００１】
本発明は、電気髭剃り器や携帯電話器等の充電式電気機器の充電装置に関し、特には携帯に便利な構造を有する充電装置に関する。
【背景技術】
【０００２】
従来、図２３に示すような充電装置が知られている。図２３（ａ）は上面図、図２３（ｂ）は背面図、図２３（ｃ）は側断面図である。これらの図において、充電装置５００は、充電式の電気機器が搭載される水平部５０１及び水平部５０１の後端から直立する垂直部５０２を構成する筐体５０３からなる充電台５０４と、充電台５０４の背面に形成された壁掛け部５０５と、充電台５０４の垂直部５０２上端に形成され、互いに内側に湾曲する一対の支持部材５０６ａ，５０６ｂを有するガイド部材５０６とから構成されている。
【０００３】
また、充電台５０４は、筐体５０３の内部に電源回路部５０７が収納され、その水平部５０１に電源回路部５０７を構成する電力伝送トランスＴの一次側コイルＬ１が配設されて構成されている。
【０００４】
このように構成された充電装置５００では、図２４に示すように、充電式の電気機器ＤＫの周側部ＳＢの一部がガイド部材５０６により保持された状態で、電力伝送トランスＴの二次側コイルＬ２が配設された電気機器ＤＫの底部ＴＢが充電台５０４の水平部５０１上に載置されるようになっている。この状態で電源回路部５０７が駆動されると、電力伝送トランスＴの一次側コイルＬ１と二次側コイルＬ２とが電磁結合され、二次側コイルＬ２に誘起された電圧が整流されて電気機器ＤＫに内蔵されている二次電池が充電される。
【発明の開示】
【発明が解決しようとする課題】
【０００５】
しかしながら、上記従来の充電装置５００では、充電台５０４上に電気機器ＤＫを位置決めした状態で載置する必要があることからガイド部材５０６が不可欠となり、しかもガイド部材５０６を取り付けるための垂直部５０２も不可欠となることから大型化することが避けられず、旅行等の外出時における持ち運びに不都合を来たすという問題があった。
【０００６】
本発明は、このような事情に鑑みてなされたもので、外出時等における持ち運びが容易な構造を有する充電装置を提供することを目的とする。
【課題を解決するための手段】
【０００７】
上記目的を達成するため、請求項１の発明は、電力供給手段を有する充電台と、この充電台の上面に載置される二次電池を備えた電気機器の周側部の少なくとも一部を保持することにより当該電気機器を前記充電台に対して位置決めするガイド部材と、このガイド部材を前記充電台の上方に離間させた状態で保持させるべく当該充電台に連結される連結部材とを備えた充電装置において、前記充電台の後部に前記連結部材が挿入される受け部が形成され、前記連結部材が前記受け部に高さ方向の位置が可変となるように挿入されるようにしたことを特徴としている。
【０００８】
請求項２の発明は、請求項１に係るものにおいて、前記受け部の上部位置及び下部位置のうちの少なくとも上部位置に係合窪みが形成されると共に、前記連結部材の下部位置に前記係合窪みに係合可能な突起部が形成され、この突起部が前記上部位置の係合窪みに係合されることにより高さ方向の位置が保持可能とされていることを特徴としている。
【０００９】
請求項３の発明は、請求項１に係るものにおいて、前記受け部にスライド可能に挿入されると共に、前記連結部材をスライド可能に受け入れる受入部が形成された中継部材を備え、前記連結部材は前記中継部材を介して前記受け部に挿入されるように構成されていることを特徴としている。
【発明の効果】
【００１０】
請求項１の発明によれば、連結部材を下方に移動させることで充電台とガイド部材間の空間が削減されて充電装置が嵩張らないようになる結果、外出時等における持ち運びが容易になる。
【００１１】
請求項２の発明によれば、突起部と上部位置の係合窪みとの係合を解除して連結部材を下方に移動させることで充電台とガイド部材間の空間が削減され、これにより充電装置が嵩張らないようになって外出時等における持ち運びが容易になる。
【００１２】
請求項３の発明によれば、連結部材をスライドさせて中継部材の受入部に挿入すると共に、中継部材をスライドさせて充電台の受け部に挿入することで充電台とガイド部材間の空間が削減され、これにより充電装置が嵩張らないようになって外出時等における持ち運びが容易になる。
【発明を実施するための最良の形態】
【００１３】
図１は、本発明の第１実施形態に係る充電装置１０Ａの構成を示す図であり、（ａ）は分解斜視図、（ｂ）は組立斜視図である。これらの図において、充電装置１０Ａは、充電台１０１と、ガイド部材２０１と、ガイド部材２０１を充電台１０１に連結する連結部材３０１とから構成されている。なお、いずれの図においても、併記しているＸＹＺ座標軸のＸ方向を前側、Ｘ’方向を後側、Ｙ方向を右側、Ｙ’方向を左側、Ｚ方向を上側、Ｚ’方向を下側とする。
【００１４】
充電台１０１は、合成樹脂等の絶縁材料で構成された筐体１０１ａを有し、この筐体１０１ａの上面中央部に充電式の電気機器ＤＫを位置決めするための位置決め突起１０１ｂが形成され、上面後部に細長状の係合凹部１０１ｃが左右方向（横方向）に形成されている。この係合凹部１０１ｃの長手方向における対向面には抜け止め溝１０１ｄが形成されている。
【００１５】
また、筐体１０１ａの内部には、図２に示す充電回路を構成する一次側コイルＬ１及び二次側コイルＬ２を備えた電力伝送トランスＴの一次側の電源回路部（電力供給手段）１が収納されている。この電源回路部１は、商用電源を直流に変換する変換回路部、一次側コイルＬ１を含む発振回路部等から構成されている。なお、電力伝送トランスＴの二次側の受電回路部２は電気機器ＤＫに内蔵されている。この受電回路部２は、二次側コイルＬ２に誘起される電圧を直流に変換する整流回路、この整流回路により充電される二次電池を含む負荷等から構成されている。また、一次側コイルＬ１は筐体１０１ａ内部の位置決め突起１０１ｂに対応する位置に配設され、二次側コイルＬ２は電気機器ＤＫの底部に配設されている。充電式の電気機器ＤＫとしては、電気髭剃り器、携帯電話器、電動歯ブラシ等の種々のものが存在する。
【００１６】
ガイド部材２０１は、合成樹脂等で構成され、充電台１０１の上面に載置された電気機器ＤＫの周側部ＳＢの少なくとも一部を保持する略Ｃ字形状の貫通孔からなる保持部２０１ａが形成された平板部２０１ｂを有し、平板部２０１ｂの厚肉状に形成された後部下面に細長状の係合凹部２０１ｃが左右方向（横方向）に形成されたものである。この係合凹部２０１ｃの長手方向における対向面には抜け止め溝２０１ｄが形成されている。なお、保持部２０１ａは、電気機器ＤＫの周側部ＳＢの形状に応じた適宜の形状とされ、通常は電気機器ＤＫの周側部ＳＢよりも大きな寸法に設定されるが、周側部ＳＢの寸法に合致したものとすることも可能である。
【００１７】
連結部材３０１は、合成樹脂等で構成された平板部３０１ａからなり、平板部３０１ａの下面に細長状の係合凸部３０１ｂが左右方向に形成され、平板部３０１ａの上面に細長状の係合凸部３０１ｃが形成されたものである。この係合凸部３０１ｂは、充電台１０１の係合凹部１０１ｃに対応する形状を有し、その長手方向における対向面には抜け止め突起３０１ｄが形成されており、係合凸部３０１ｃの長手方向における対向面には抜け止め突起３０１ｅが形成されている。また、平板部３０１ａの中央位置には、壁掛け用の貫通孔３０１ｆが形成されている。
【００１８】
このように構成された連結部材３０１の係合凸部３０１ｂが充電台１０１の係合凹部１０１ｃに嵌合されて抜け止め突起３０１ｄが抜け止め溝１０１ｄに係合されることにより連結部材３０１が充電台１０１に抜け止め状態で取り付けられる。また、連結部材３０１の係合凸部３０１ｃがガイド部材２０１の係合凹部２０１ｃに嵌合されて抜け止め突起３０１ｅが抜け止め溝２０１ｄに係合されることによりガイド部材２０１が連結部材３０１に抜け止め状態で取り付けられる。この場合、係合凸部３０１ｂが係合凹部１０１ｃに圧入状に嵌合されるようにし、係合凸部３０１ｃが係合凹部２０１ｃに圧入状に嵌合されるようにしておくと、より確実に充電装置１０Ａの使用中における各構成部材の抜け止め防止を図ることができる。
【００１９】
このように構成された充電装置１０Ａによれば、使用時には壁掛け用の貫通孔３０１ｆを壁に設けられている鉤部材等に係止させ、充電台１０１の後面等から引き出されている図略の電源コードをコンセントに差し込む一方、ガイド部材２０１の保持部２０１ａから電気機器ＤＫを差し込んで充電台１０１上に位置決め突起１０１ｂにより位置決めした状態で載置することにより非接触で負荷部の二次電池に対する充電を行うことができる。また、外出時等には、連結部材３０１を充電台１０１から取り外すと共に、ガイド部材２０１を連結部材３０１から取り外すようにすることで嵩張らないようにすることができ、充電装置１０Ａの持ち運びが容易となる。なお、この充電装置１０Ａは、壁掛け用の貫通孔３０１ｆを用いずに、机上等に設置して用いることも可能である。
【００２０】
このように構成された充電装置１０Ａでは、充電台１０１の係合凹部１０１ｃに代えて係合凸部を形成し、連結部材３０１の係合凸部３０１ｂに代えて係合凹部を形成するようにしてもよい。また、ガイド部材２０１の係合凹部２０１ｃに代えて係合凸部を形成し、連結部材３０１の係合凸部３０１ｃに代えて係合凹部を形成するようにしてもよい。また、ガイド部材２０１の後部を図示よりもさらに厚肉状に形成する場合には、壁掛け用の貫通孔３０１ｆをガイド部材２０１に形成することも可能である。
【００２１】
図３は、本発明の第２実施形態に係る充電装置１０Ｂの分解斜視図である。この充電装置１０Ｂは、図１に示す充電装置１０Ａにおけるガイド部材２０１と連結部材３０１とを一体に形成した点においてのみ相違している。従って、以下にはその相違点を中心に説明する。すなわち、この充電装置１０Ｂは、図１に示す充電台１０１と同一の構成になる充電台１０２と、図１に示すガイド部材２０１と同一の基本構造を有するガイド部材２０２と、ガイド部材２０２の後部にＬ字形状をなすように一体に形成された、図１に示す連結部材３０１と同一の基本構造を有する連結部材３０２とから構成されている。
【００２２】
なお、ガイド部材２０２と連結部材３０２とは一体に形成されることから、ガイド部材２０２には図１に示す係合凹部２０１ｃに対応する係合凹部は形成されておらず、連結部材３０２には図１に示す係合凸部３０１ｃに対応する係合凸部は形成されていない。また、平板部３０２ａの中央位置には、壁掛け用の貫通孔が形成されているが図示を省略している。
【００２３】
このように形成された連結部材３０２の係合凸部３０２ｂが充電台１０２の係合凹部１０２ｃに嵌合されて抜け止め突起３０２ｄが抜け止め溝１０２ｄに係合されることにより連結部材３０２が充電台１０２に抜け止め状態で取り付けられることにより充電装置１０Ｂが構成される。
【００２４】
この充電装置１０Ｂでは、図１に示す充電装置１０Ａと同様に、ガイド部材２０２の保持部２０２ａから電気機器ＤＫ（図１）を差し込んで充電台１０２上に位置決め突起１０２ｄにより位置決めした状態で載置することにより、非接触で電気機器ＤＫの二次電池に対する充電を行うことができる。また、外出時等には、連結部材３０２を充電台１０２から取り外すようにすることで嵩張らないようにすることができ、充電装置１０Ｂの持ち運びが容易となる。
【００２５】
なお、この充電装置１０Ｂでは、充電台１０２の係合凹部１０２ｃに代えて係合凸部を形成し、連結部材３０２の係合凸部３０２ｂに代えて係合凹部を形成するようにしてもよい。
【００２６】
図４は、本発明の第３実施形態に係る充電装置１０Ｃの分解斜視図である。すなわち、この充電装置１０Ｃは、図１に示す充電台１０１と同一の構成になる充電台１０３と、図１に示すガイド部材２０１と同一の構成になる図略のガイド部材と、図１に示す連結部材３０１と同一の構成になる図略の連結部材とに加え、外出時等にガイド部材及び連結部材に代えて使用する位置決めプレート４０３を備えたものである。すなわち、自宅等での使用時には充電台１０３、図略のガイド部材及び連結部材を用いて図１に示すものと同一の態様で使用し、外出時には充電台１０３及び位置決めプレート４０３のみを携帯し、外出先等での使用時には図４に示す態様で使用するようにしたものである。
【００２７】
この位置決めプレート４０３は、ガイド部材２０１と基本的に同じ機能を有するものであり、充電台１０３の上面に載置された電気機器ＤＫ（図１）の周側部ＳＢの少なくとも一部を保持する略Ｃ字形状の貫通孔からなる保持部４０３ａが形成された平板部４０３ｂにより構成されたものである。この平板部４０３ｂの後部下面には、細長状の係合凸部４０３ｃが左右方向に形成され、この係合凸部４０３ｃの長手方向における対向面には抜け止め突起４０３ｄが形成されている。
【００２８】
このように構成された位置決めプレート４０３の係合凸部４０３ｃが充電台１０３の係合凹部１０３ｃに嵌合されて抜け止め突起４０３ｄが抜け止め溝１０３ｄに係合されることにより位置決めプレート４０３が充電台１０３に抜け止め状態で取り付けられることで外出先等で用いる場合の充電装置１０Ｃが構成される。この充電装置１０Ｃでは、位置決めプレート４０３の保持部４０３ａから電気機器ＤＫ（図１）を差し込んで充電台１０３に位置決め突起により位置決めした状態で載置することにより非接触で電気機器ＤＫの二次電池に対する充電を行うことができる。
【００２９】
この構成によれば、外出時等には、充電台１０３及び位置決めプレート４０３のみを携帯するだけでよいので、嵩張らないようにすることができて持ち運びがきわめて容易となる。なお、この充電装置１０Ｃでは、充電台１０３の係合凹部１０３ｃに代えて係合凸部を形成し、位置決めプレート４０３の係合凸部４０３ｃに代えて係合凹部を形成するようにしてもよい。この場合は、図略の連結部材についてもその係合凸部に代えて係合凹部を形成しておけばよい。
【００３０】
また、自宅等で用いる場合のガイド部材及び連結部材は、図３に示すように一体形成されたものであってもよい。また、自宅等で用いる場合でも、ガイド部材及び連結部材に代えて位置決めプレート４０３を用いるようにしてもよい。すなわち、充電装置１０Ｃを充電台１０３及び位置決めプレート４０３だけで構成することも可能である。
【００３１】
図５は、本発明の第４実施形態に係る充電装置１０Ｄの要部を示す分解斜視図である。この充電装置１０Ｄは、図１に示す充電装置１０Ａにおける充電台１０１に対する連結部材３０１の取付構造が異なる点でのみ相違している。従って、以下にはその相違点を中心に説明する。
【００３２】
すなわち、この充電装置１０Ｄでは、図１に示す充電台１０１と同一の基本構造を有する充電台１０４の一側面である後面に左右方向にスライド可能な凸状スライド部１０４ｃが形成されている。この凸状スライド部１０４ｃは、充電台１０４の後面に左右方向に沿って形成された狭幅状の突出部１０４ｄと、この突出部１０４ｄの後面に一体形成された垂直平板部１０４ｅとから構成されている。
【００３３】
また、図１に示す連結部材３０１と同一の基本構造を有する連結部材３０４の下部の一側面である前面に左右方向にスライド可能な凹状スライド部３０４ｂが形成されている。この凹状スライド部３０４ｂは、連結部材３０１の肉厚部に上下方向に形成され、左右両端が開口されたスライド溝３０４ｃと、このスライド溝３０４ｃの上下方向中央部から連結部材３０４の前面側に貫通する狭幅状の開口部３０４ｄとから構成されている。このスライド溝３０４ｃは、凸状スライド部１０４ｃの垂直平板部１０４ｅが嵌合可能な寸法を有するように形成され、開口部３０４ｄは、凸状スライド部１０４ｃの突出部１０４ｄが嵌合可能な寸法を有するように形成されたものである。
【００３４】
このように構成された充電台１０４の凸状スライド部１０４ｃを、矢印で示すように、連結部材３０４の凹状スライド部３０４ｂにその端面開口から左右方向に相対的にスライドさせて挿入することにより両者が互いに係脱可能に係合され、これにより連結部材３０４が充電台１０４に着脱可能に取り付けられて充電装置１０Ｄが構成されることになる。
【００３５】
このように構成された充電装置１０Ｄでは、外出時等には凸状スライド部１０４ｃを凹状スライド部３０４ｂに対し左右方向に相対的にスライドさせて両者の係合を解除し、連結部材３０４を充電台１０４から取り外すようにする。これにより、嵩張らないようにすることができて充電装置１０Ｄの持ち運びが容易となる。
【００３６】
なお、この充電装置１０Ｄでは、凸状スライド部１０４ｃを連結部材３０４の前面側に形成し、凹状スライド部３０４ｂを充電台１０４の後面側に形成するようにしてもよい。これら凸状スライド部１０４ｃ及び凹状スライド部３０４ｂの形状は本実施形態のものに限定されるものではない。また、図１に示すガイド部材２０１と同一の構成になる図略のガイド部材は、図３に示すものと同様に連結部材３０４と一体に形成されていてもよい。
【００３７】
図６は、本発明の第５実施形態に係る充電装置１０Ｅの要部を示す分解斜視図である。この充電装置１０Ｅは、図１に示す充電装置１０Ａにおける充電台１０１に対する連結部材３０１の取付構造が異なる点でのみ相違している。従って、以下にはその相違点を中心に説明する。
【００３８】
すなわち、この充電装置１０Ｅでは、図１に示す充電台１０１と同一の基本構成を有する充電台１０５の後部上面に前後方向にスライド可能な凸状スライド部１０５ｃが形成されている。この凸状スライド部１０５ｃは、充電台１０５の後部上面に左右方向に沿って形成された突出部１０５ｄと、この突出部１０５ｄの上面に左右両側に突出するように一体形成された水平平板部１０５ｅとから構成されている。
【００３９】
また、図１に示す連結部材３０１と同一の構成を有する連結部材３０５の底部に前後方向にスライド可能な凹状スライド部３０５ｂが形成されている。この凹状スライド部３０５ｂは、連結部材３０５の肉厚方向（前後方向）に貫通して形成されたスライド溝３０５ｃと、このスライド溝３０５ｃの左右方向中央部から底面側に貫通する開口部３０５ｄとから構成されている。このスライド溝３０５ｃは、凸状スライド部１０５ｃの水平平板部１０５ｅが嵌合可能な寸法を有するように形成され、開口部３０５ｄは、凸状スライド部１０５ｃの突出部１０５ｄが嵌合可能な寸法を有するように形成されたものである。
【００４０】
このように構成された充電台１０５の凸状スライド部１０５ｃを、矢印で示すように、連結部材３０５の凹状スライド部３０５ｂの前面から前後方向に相対的にスライドさせて挿入することにより両者が互いに係脱可能に係合され、これにより連結部材３０５が充電台１０５に着脱可能に取り付けられて充電装置１０Ｅが構成されることになる。
【００４１】
このように構成された充電装置１０Ｅでは、外出時等には凸状スライド部１０５ｃを凹状スライド部３０５ｂに対し前後方向に相対的にスライドさせて両者の係合を解除し、連結部材３０４を充電台１０４から取り外すようにする。これにより、嵩張らないようにすることができて充電装置１０Ｅの持ち運びが容易となる。
【００４２】
なお、この充電装置１０Ｅでは、凸状スライド部１０５ｃを連結部材３０５の底部に形成し、凹状スライド部３０５ｂを充電台１０５の後部に形成するようにしてもよい。これら凸状スライド部１０５ｃ及び凹状スライド部３０５ｂの形状は、本実施形態のものに限定されるものではない。また、図１に示すガイド部材２０１と同一の構成になる図略のガイド部材は、図３に示すものと同様に連結部材３０５と一体に形成されていてもよい。
【００４３】
図７は、本発明の第６実施形態に係る充電装置１０Ｆの要部を示す分解斜視図である。この充電装置１０Ｆは、図１に示す充電装置１０Ａにおける充電台１０１に対する連結部材３０１の取付構造が異なる点でのみ相違している。従って、以下にはその相違点を中心に説明する。
【００４４】
すなわち、この充電装置１０Ｆでは、図１に示す充電台１０１と同一の基本構成を有する充電台１０６の左右両側面に前後方向にスライド可能な一対の凸状スライド部１０６ｃが形成されている。また、図１に示す連結部材３０１と同一の基本構成を有する連結部材３０６の下端に前方向に延びる水平板３０６ｂが一体に形成されると共に、連結部材３０６の下部における左右両側に前方向に延びる三角状平板からなる一対の保持部材３０６ｃが水平板３０６ｂに跨って形成され、これらの保持部材３０６ｃの互いの対向面に前後方向にスライド可能なスライド溝からなる凹状スライド部３０６ｄが前面側が開口するように形成されている。この凹状スライド部３０６ｄは、凸状スライド部１０６ｃが嵌合可能な寸法を有するように形成されたものである。
【００４５】
このように構成された充電台１０６の凸状スライド部１０６ｃを、矢印で示すように、連結部材３０６の前面側から相対的にスライドさせて凹状スライド部３０６ｄに挿入することにより両者が互いに係脱可能に係合され、これにより連結部材３０６が充電台１０６に着脱可能に取り付けられて充電装置１０Ｆが構成される。なお、連結部材３０６が充電台１０６に取り付けられたとき、充電台１０６は水平板３０６ｂ上に載置された状態となる。
【００４６】
このように構成された充電装置１０Ｆでは、外出時等には凸状スライド部１０６ｃを凹状スライド部３０６ｄに対し前後方向に相対的にスライドさせて両者の係合を解除し、連結部材３０６を充電台１０６から取り外すようにする。これにより、嵩張らないようにすることができて充電装置１０Ｆの持ち運びが容易となる。
【００４７】
なお、この充電装置１０Ｆでは、凸状スライド部１０６ｃを連結部材３０６の一対の保持部材３０６ｃに形成し、凹状スライド部３０６ｄを充電台１０６の左右両側面に形成するようにしてもよい。また、図１に示すガイド部材２０１と同一の構成になる図略のガイド部材は、図３に示すものと同様に連結部材３０６と一体に形成されていてもよい。
【００４８】
図８は、本発明の第７実施形態に係る充電装置１０Ｇの要部を示す分解斜視図である。この充電装置１０Ｇは、図１に示す充電装置１０Ａにおける充電台１０１に対する連結部材３０１の取付構造が異なる点でのみ相違している。従って、以下にはその相違点を中心に説明する。
【００４９】
すなわち、この充電装置１０Ｇでは、図１に示す充電台１０１と同一の基本構成を有する充電台１０７の後部上面から下方に延びる一対の鉤部材１０７ｃが左右方向に並んで形成されている。また、図１に示す連結部材３０１と同一の基本構成を有する連結部材３０７の下部に一対の鉤部材１０７ｃが係合される一対の係合孔３０７ｂが左右方向に並んで形成されている。これらの係合孔３０７ｂの内部には、鉤部材１０７ｃが連結部材３０７の後面に飛び出ることがないように内側に窪んだ係合段部３０７ｃが形成されている。
【００５０】
このように構成された充電台１０７の一対の鉤部材１０７ｃを、矢印で示すように、連結部材３０７の前面側から一対の係合孔３０７ｂに挿入して係合段部３０７ｃに係脱可能に係合させることで連結部材３０７が充電台１０７に着脱可能に取り付けられて充電装置１０Ｇが構成される。
【００５１】
このように構成された充電装置１０Ｇでは、外出時等には一対の鉤部材１０７ｃを係合孔３０７ｂから離脱させて両者の係合を解除し、連結部材３０７を充電台１０７から取り外すようにする。これにより、嵩張らないようにすることができて充電装置１０Ｇの持ち運びが容易となる。
【００５２】
なお、この充電装置１０Ｇでは、一対の鉤部材１０７ｃを連結部材３０７の下部前面に形成し、一対の係合孔３０７ｂを充電台１０７の後部上面や後部側面（後面）に形成するようにしてもよい。また、鉤部材１０７ｃは１つでも３つ以上でもよく、係合孔３０７ｂは鉤部材１０７ｃの個数に対応させて形成するようにすればよい。また、鉤部材１０７ｃは、充電台１０７に形成する場合であっても後部側面（後面）の中間部から突出するように形成することもできる。さらには、図１に示すガイド部材２０１と同一の構成になる図略のガイド部材は、図３に示すものと同様に連結部材３０７と一体に形成されていてもよい。
【００５３】
図９は、本発明の第８実施形態に係る充電装置１０Ｈの要部を示す分解斜視図である。この充電装置１０Ｈは、図１に示す充電装置１０Ａにおける充電台１０１に対する連結部材３０１の取付構造が異なる点でのみ相違している。従って、以下にはその相違点を中心に説明する。
【００５４】
すなわち、この充電装置１０Ｈでは、図１に示す充電台１０１と同一の基本構成を有する充電台１０８の後側上部に細長状の嵌合孔１０８ｃが上下方向（縦方向）に形成されている。この嵌合孔１０８ｃには、後面側に貫通する開口１０８ｄが形成されており、後述する突出部材３０８ｂが容易に嵌合し得るようになっている。また、図１に示す連結部材３０１と同一の基本構成を有する連結部材３０８の下部底面に嵌合孔１０８ｃに嵌合される細長状の突出部材３０８ｂが上下方向に形成されている。
【００５５】
このように構成された充電台１０８の嵌合孔１０８ｃに、矢印で示すように、連結部材３０８の突出部材３０８ｂを係脱可能に挿入して嵌合させることで連結部材３０８が充電台１０８に着脱可能に取り付けられて充電装置１０Ｈが構成される。
【００５６】
このように構成された充電装置１０Ｈでは、外出時等には突出部材３０８ｂを嵌合孔１０８ｃから離脱させて両者の係合を解除し、連結部材３０８を充電台１０８から取り外すようにする。これにより、嵩張らないようにすることができて充電装置１０Ｈの持ち運びが容易となる。
【００５７】
なお、この充電装置１０Ｈでは、嵌合孔１０８ｃを連結部材３０８の下部底面に形成し、突出部材３０８ｂを充電台１０８の後側上部に形成するようにしてもよい。また、図１に示すガイド部材２０１と同一の構成になる図略のガイド部材は、図３に示すものと同様に連結部材３０８と一体に形成されていてもよい。
【００５８】
図１０は、本発明の第９実施形態に係る充電装置１０Ｉの構成を示す図であり、（ａ）は分解斜視図、（ｂ）は使用方法を説明するための図である。この充電装置１０Ｉは、図1に示す充電台１０１と同一の基本構成を有する充電台１０９と、図１に示すガイド部材２０１と同一の基本構成を有するガイド部材２０９と、図１に示す連結部材３０１と同一の基本構成を有する連結部材３０９とから構成されている。
【００５９】
すなわち、この充電装置１０Ｉでは、充電台１０９の後面の中央位置よりも上部側の位置に連結部材３０９の肉厚に等しい厚みを有する一対の嵌合ボス１０９ｃが左右方向（横方向）に並ぶように一体に形成され、これらの嵌合ボス１０９ｃに背板１０９ｄが一体に形成されている。また、連結部材３０９はガイド部材２０９に一体に形成されたものであり、その下端に嵌合ボス１０９ｃに嵌合可能な一対の切り欠き部３０９ｂが形成されている。
【００６０】
このように構成された充電台１０９の上方から連結部材３０９が充電台１０９と背板１０９ｄとの間隙に挿入されると共に、連結部材３０９の切り欠き部３０９ｂが嵌合ボス１０９ｃに嵌合されることで連結部材３０９が充電台１０９に着脱可能に取り付けられて充電装置１０Ｉが構成されることになる。この構成によれば、嵌合ボス１０９ｃの厚みが連結部材３０９の肉厚に等しいので、充電台１０９の後面と背板１０９ｄとの間隙に挿入された連結部材３０９のがたつきが防止され、充電装置１０Ｉの安定した使用が可能になる。
【００６１】
このように構成された充電装置１０Ｉでは、外出時等には連結部材３０９を上方に引き上げて切り欠き部３０９ｂと嵌合ボス１０９ｃとの嵌合を解除する一方、図１０（ｂ）に示すように、上下を反転させた連結部材３０９を下方から充電台１０９の後面と背板１０９ｄとの間隙に挿入すると共に、一対の切り欠き部３０９ｂを一対の嵌合ボス１０９ｃに係脱可能に嵌合させる。これにより、充電台１０９とガイド部材２０９間の空間が削減されて嵩張らないようにすることができ、充電装置１０Ｉの持ち運びが容易となる。
【００６２】
なお、この充電装置１０Ｉでは、嵌合ボス１０９ｃを充電台１０９の後面の中央位置よりも上部側の適切な位置に形成することにより、図１０（ｂ）に示すように充電台１０９とガイド部材２０９との間の空間をなくすようにすることができるが、多少の空間が形成されても持ち運びが容易となることに変わりはない。また、ガイド部材２０９と連結部材３０９とは、図１に示すものと同様に互いに分離されて構成されていてもよい。また、嵌合ボス１０９ｃは、３つ以上であってもよく、また、幅広状に形成されている場合には１つであってもよい。さらには、嵌合ボス１０９ｃの厚みが連結部材３０９の肉厚よりも多少厚くなっていても実用上の支障はない。
【００６３】
図１１は、本発明の第１０実施形態に係る充電装置１０Ｊの構成を示す図であり、（ａ）は分解斜視図、（ｂ）は使用方法を説明するための図である。この充電装置１０Ｊは、図1に示す充電台１０１と同一の基本構成を有する充電台１１０と、図１に示すガイド部材２０１と同一の基本構成を有するガイド部材２１０と、図１に示す連結部材３０１と同一の基本構成を有する連結部材３１０とから構成されている。
【００６４】
すなわち、この充電装置１０Ｊでは、充電台１１０の後部に後面に沿って連結部材３１０の肉厚よりも僅かに大きな幅寸法を有する細長状の貫通孔からなる受け部１１０ｃが上下方向に形成されている。また、この受け部１１０ｃ内には、その前面側の中央位置よりも上部側の位置に一対の係合窪み１１０ｄが左右方向に並ぶように形成されると共に、その中央位置よりも下部側の位置に一対の係合窪み１１０ｅが左右方向に並ぶように形成されている。また、連結部材３１０はガイド部材２１０に一体に形成されたものであり、その前面側の下部位置に受け部１１０ｃ内の係合窪み１１０ｄ，１１０ｅに係合可能な一対の突起部３１０ｂが左右方向に並ぶように形成されている。
【００６５】
このように構成された充電台１１０の受け部１１０ｃに、充電台１１０の上方から連結部材３１０の下部を挿入し、その一対の突起部３１０ｂを受け部１１０ｃ内の上部位置の一対の係合窪み１１０ｄに係脱可能に係合させることで連結部材３１０が充電台１１０に着脱可能に取り付けられ、充電装置１０Ｊが構成されることになる。
【００６６】
このように構成された充電装置１０Ｊでは、図１１（ｂ）に示すように、外出時等には連結部材３１０を受け部１１０ｃ内に更に押し込み、その一対の突起部３１０ｂを下部位置の一対の係合窪み１１０ｅに係脱可能に係合させるようにする。これにより、充電台１１０とガイド部材２１０間の空間が削減されて嵩張らないようにすることができ、充電装置１０Ｊの持ち運びが容易となる。なお、使用時には、連結部材３１０を上方に引き上げ、その一対の突起部３１０ｂを上部位置の一対の係合窪み１１０ｄに係合させるようにすればよい。
【００６７】
この充電装置１０Ｊでは、受け部１１０ｃ内の係合窪み１１０ｄ，１１０ｅは、それぞれ３つ以上であってもよく、また、幅広状に形成されている場合はそれぞれ１つだけであってもよい。また、受け部１１０ｃ内の下部位置の係合窪み１１０ｅをなくすようにし、上部位置の係合窪み１１０ｄだけを設けるようにすることもできる。このようにした場合でも、高さ方向の位置が可変となるので、持ち運びが容易となることに変わりはない。さらには、受け部１１０ｃ内の係合窪み１１０ｄ，１１０ｅの位置に係合窪み１１０ｄ，１１０ｅに代えて突起部を形成し、連結部材３１０の突起部３１０ｂの位置に突起部３１０ｂに代えて係合窪みを形成するようにすることも可能である。また、ガイド部材２１０と連結部材３１０とは、図１に示すものと同様に互いに分離されて構成されていてもよい。
【００６８】
図１２は、本発明の第１１実施形態に係る充電装置１０Ｋの構成を示す図であり、（ａ）は使用時における斜視図、（ｂ）は持ち運び時における斜視図である。この充電装置１０Ｋは、図1に示す充電台１０１と同一の基本構成を有する充電台１１１と、図１に示すガイド部材２０１と同一の基本構成を有するガイド部材２１１と、図１に示す連結部材３０１と同一の基本構成を有する連結部材３１１とから構成されている。
【００６９】
すなわち、この充電装置１０Ｋでは、充電台１１１の後部に後面に沿って連結部材３１１の肉厚と略同一の幅寸法を有する細長状の貫通孔からなる受け部１１１ｃが上下方向に形成されている。また、この受け部１１１ｃには、後面側に貫通する開口１１１ｄが形成されており、連結部材３１１が容易に挿入し得るようになっている。
【００７０】
このように構成された充電台１１１の受け部１１１ｃに連結部材３１１を上方から所定位置にまで挿入して係脱可能に嵌合させることで連結部材３１１が充電台１１１に着脱可能に取り付けられ、充電装置１０Ｋが構成されることになる。この構成によれば、受け部１１１ｃの幅寸法が連結部材３１１の肉厚と略同一の値に設定されていることから連結部材３１１は受け部１１１ｃ内に圧入状に挿入され、操作力を加えないと連結部材３１１は上下動しないことになる。
【００７１】
このように構成された充電装置１０Ｋでは、図１２（ｂ）に示すように、外出時等には連結部材３１１を更に下方に押し込むことで充電台１１１とガイド部材２１１間の空間が削減されて嵩張らないようにすることができ、これにより充電装置１０Ｋの持ち運びが容易となる。なお、この充電装置１０Ｋでは、ガイド部材２１１と連結部材３１１とは一体に形成した構成となっているが、図１に示すものと同様に互いに分離した構成となっていてもよい。
【００７２】
図１３は、本発明の第１２実施形態に係る充電装置１０Ｌの構成を示す図であり、（ａ）は使用時における斜視図、（ｂ）は持ち運び時における斜視図である。この充電装置１０Ｌは、図1に示す充電台１０１と同一の基本構成を有する充電台１１２と、図１に示すガイド部材２０１と同一の基本構成を有するガイド部材２１２と、図１に示す連結部材３０１と同一の基本構成を有する連結部材３１２とから構成されている。
【００７３】
すなわち、この充電装置１０Ｌでは、充電台１１２の後部に後面に沿って細長状の貫通孔からなる受け部１１２ｃが上下方向に形成されている。この受け部１１２ｃには、後面側に貫通する開口１１２ｄが形成されると共に、中継部材（スライド部材）１１２ｅがスライド可能に挿入されている。この中継部材１１２ｅは、受け部１１２ｃに対応する外周面形状を有しており、その中央部に連結部材３１２をスライド可能に受け入れる貫通孔からなる受入部１１２ｆが上下方向に形成されている。また、この中継部材１１２ｅには、後面側に貫通する開口１１２ｇが形成される一方、この開口１１２ｇに対応する前面側に嵌合ボス１１２ｈが突出形成されている。
【００７４】
また、連結部材３１２は、ガイド部材２１２に一体に形成されたものであり、中継部材１１２ｅの受入部１１２ｆ内にスライド可能に挿入し得る外周面形状を有しており、中央部に嵌合ボス１１２ｈが挿入されるスライド溝３１２ｂが上下方向（縦方向）に形成されている。このスライド溝３１２ｂには、下部位置に括れ部３１２ｃが形成されており、図１３（ａ）に示すように連結部材３１２を中継部材１１２ｅに対し上方位置に引き上げたときに連結部材３１２を中継部材１１２ｅに対して位置固定できるようになっている。
【００７５】
このように構成された充電台１１２の受け部１１２ｃに、中継部材１１２ｅを挿入すると共に、この中継部材１１２ｅの受入部１１２ｆに連結部材３１２を挿入し、スライド溝３１２ｂの括れ部３１２ｃを嵌合ボス１１２ｈに係合させて位置固定することで連結部材３１２が中継部材１１２ｅを介して受け部１１２ｃに位置固定され、充電装置１０Ｌが構成されることになる。
【００７６】
このように構成された充電装置１０Ｌでは、図１２（ｂ）に示すように、外出時等には連結部材３１２を中継部材１１２ｅの受入部１１２ｆ内に押し込むと共に、中継部材１１２ｅを受け部１１２ｃ内に押し込むことで充電台１１２とガイド部材２１２間の空間が削減されて嵩張らないようにすることができ、これにより充電装置１０Ｌの持ち運びが容易となる。なお、使用時には、連結部材３１２を上方に引き上げると共に、中継部材１１２ｅを上方に引き上げるようにすればよい。なお、この充電装置１０Ｌでは、ガイド部材２１２と連結部材３１２とは一体に形成されているが、図１に示すものと同様に互いに分離して形成されていてもよい。
【００７７】
図１４は、本発明の第１３実施形態に係る充電装置１０Ｍの構成を示す図であり、（ａ）は使用時における斜視図、（ｂ）は持ち運び時における斜視図である。この充電装置１０Ｍは、図1に示す充電台１０１と同一の基本構成を有する充電台１１３と、図１に示すガイド部材２０１と同一の基本構成を有するガイド部材２１３とから構成されている。なお、この実施形態では、ガイド部材２１３を連結部材を用いずに直接充電台１１３に取り付ける構成となっている。
【００７８】
すなわち、この充電装置１０Ｍでは、ガイド部材２１３が充電台１１３の外周を取り囲むようなリング形状に構成されている。また、このガイド部材２１３は上下方向（縦方向）に所定幅を有すると共に、その一部に切り欠き部２１３ｂが形成されて弾性力が生成されるようになっており、これにより充電台１１３の外周を上下動可能となるように弾性的に把持できるようになっている。
【００７９】
このように構成されたガイド部材２１３を充電台１１３の外周に上方から所定位置にまで上下動可能に挿入させることで、充電装置１０Ｍが構成されることになる。このように構成された充電装置１０Ｍでは、図１４（ｂ）に示すように、外出時等にはガイド部材２１３を下方に押し込むことで嵩張らないようにすることができ、これにより持ち運びが容易となる。また、使用時には、ガイド部材２１３を上方位置に引き上げるようにすればよい。
【００８０】
図１５は、本発明の第１４実施形態に係る充電装置１０Ｎの構成を示す図である。この充電装置１０Ｎは、図1に示す充電台１０１と同一の基本構成を有する充電台１１４と、図１に示すガイド部材２０１と同一の基本構成を有するガイド部材２１４とから構成されている。なお、この実施形態では、図１４の場合と同様に、ガイド部材２１４を連結部材を用いずに直接充電台１１４に上下動可能に取り付ける構成となっている。
【００８１】
すなわち、この充電装置１０Ｎでは、充電台１１４が円柱状に構成されると共に、その外周面にねじ山１１４ｂが螺旋状に形成されている。また、ガイド部材２１４が円筒状に構成されると共に、その内周面にねじ溝２１４ｂが螺旋状に形成されている。このように構成された充電台１１４の外周にガイド部材２１４を外嵌させ、ねじ山１１４ｂとねじ溝２１４ｂとを螺合させてガイド部材２１４を所定位置にまでねじ込むことにより、充電装置１０Ｎが構成されることになる。
【００８２】
このように構成された充電装置１０Ｎでは、外出時等にはガイド部材２１４を更にねじ込んで下方に移動させることで嵩張らないようにすることができ、これにより持ち運びが容易となる。また、使用時には、ガイド部材２１４を上方位置に引き上げるようにすればよい。なお、ねじ山１１４ｂをガイド部材２１４の内周面に形成する一方、ねじ溝２１４ｂを充電台１１４の外周面に形成するようにしてもよい。
【００８３】
図１６は、本発明の第１５実施形態に係る充電装置１０Ｐの構成を示す図であり、（ａ）は全体構成図、（ｂ）は使用方法を説明するための図である。この充電装置１０Ｐは、図1に示す充電台１０１と同一の基本構成を有する充電台１１５と、図１に示すガイド部材２０１と同一の基本構成を有するガイド部材２１５と、図１に示す連結部材３０１と同一の基本構成を有する連結部材３１５とから構成されている。
【００８４】
すなわち、この充電装置１０Ｐでは、充電台１１５の左右両側面における中央位置よりも上部側の位置であって、前後方向における中央位置に支持軸１１５ｃが突出形成されている。また、連結部材３１５は、平板部３１５ａからなり、ガイド部材２１５の左右両側にそれぞれ下方に延びるように一体に形成され、その各下端（一端）に支持軸１１５ｃに係合されるスリット状の係合孔３１５ｂが上下方向（縦方向）に形成されている。
【００８５】
このスリット状の係合孔３１５ｂは、ガイド部材２１５側である上半部が幅狭状に形成されると共に、下半部が幅広状に形成されている。これにより、係合孔３１５ｂの幅広状の部分が支持軸１１５ｃに嵌合されるときは連結部材３１５が支持軸１１５ｃを中心にして容易に回転可能となる一方、幅狭状の部分が支持軸１１５ｃに嵌合されるときは摩擦力が高められて大きな回転力を加えないと容易には回転しないようになる。
【００８６】
このように構成された充電台１１５の支持軸１１５ｃに連結部材３１５を支持させる一方、図１６（ａ）に示すように、ガイド部材２１５が充電台１１５の上面側にくるようにして係合孔３１５ｂの幅狭状の部分が支持軸１１５ｃに係合されるようにすることで連結部材３１５が充電台１１５に固定された状態で取り付けられ、充電装置１０Ｐが構成されることになる。
【００８７】
このように構成された充電装置１０Ｐでは、図１６（ｂ）に示すように、外出時等には連結部材３１５を下方に押し下げて支持軸１１５ｃにおける固定を解除すると共に、充電台１１５の上面側にあるガイド部材２１５が充電台１１５の下面側にくるように連結部材３１５を回転させ、ガイド部材２１５が充電台１１５の下面側にきたときに連結部材３１５を上方に押し上げて係合孔３１５ｂの幅狭状の部分が支持軸１１５ｃに係合されるようにする。これにより、充電台１１５とガイド部材２１５間の空間が削減されて嵩張らないようにすることができ、充電装置１０Ｐの持ち運びが容易となる。使用時には、図１６（ｂ）に示す逆の手順でガイド部材２１５が充電台１１５の上面側にくるようにすればよい。なお、ガイド部材２１５が充電台１１５の下面側にきたとき、図示のように充電台１１５とガイド部材２１５間の空間が無くなるような構成とすることが好ましい。また、この実施形態では、ガイド部材２１５と連結部材３１５とは一体に構成されているが、図１に示すものと同様に互いに分離されて構成されていてもよい。
【００８８】
図１７は、本発明の第１６実施形態に係る充電装置１０Ｑの構成を示す図であり、（ａ）は使用時における斜視図、（ｂ）は持ち運び時における斜視図である。この充電装置１０Ｑは、図1に示す充電台１０１と同一の基本構成を有する充電台１１６と、図１に示すガイド部材２０１と同一の基本構成を有するガイド部材２１６と、図１に示す連結部材３０１と同一の基本構成を有する連結部材３１６とから構成されている。
【００８９】
すなわち、この充電装置１０Ｑでは、充電台１１６の後部周面の中央位置よりも上部側の位置に一対の軸受け１１６ｃが形成されると共に、ガイド部材２１６の後部周面に一対の軸受け２１６ｃが形成されている。また、連結部材３１６の下端（一端）には支持軸３１６ｂが左右方向に突出して設けられ、この支持軸３１６ｂが一対の軸受け１１６ｃに支持されることで連結部材３１６の下端が充電台１１６に対して相対的に回転可能に軸支されている。また、連結部材３１６の上端（他端）には支持軸３１６ｃが左右方向に突出して設けられ、この支持軸３１６ｃが一対の軸受け２１６ｃに支持されることで連結部材３１６の上端がガイド部材２１６に対して相対的に回転可能に軸支されている。
【００９０】
このように構成された充電装置１０Ｑでは、図１７（ｂ）に示すように、外出時等には連結部材３１６を充電台１１６に対し軸回りに回動させて連結部材３１６の上端側が充電台１１６の下部側にくるようにする一方、ガイド部材２１６を連結部材３１６に対し軸回りに回動させて充電台１１６の下面側にくるようにする。これにより、充電台１１６とガイド部材２１６間の空間が削減されて嵩張らないようにすることができ、充電装置１０Ｑの持ち運びが容易となる。使用時には、逆の手順でガイド部材２１６が充電台１１６の上面側にくるようにすればよい。なお、ガイド部材２１６が充電台１１６の下面側にきたとき、図示のように充電台１１６とガイド部材２１６間の空間が無くなるような構成とすることが好ましい。
【００９１】
図１８は、本発明の第１７実施形態に係る充電装置１０Ｒを示す図であり、（ａ）は使用時における斜視図、（ｂ）は持ち運び時における斜視図である。この充電装置１０Ｒは、図１に示す充電装置１０Ａにおける連結部材３０１の充電台１０１に対する取付構造及びガイド部材２０１に対する取付構造が異なる点でのみ相違している。従って、以下にはその相違点を中心に説明する。
【００９２】
すなわち、この充電装置１０Ｒでは、図１に示す充電台１０１と同一の基本構成を有する充電台１１７の後部上面に支持軸１１７ｃが左右方向（横方向）に設けられると共に、図１に示すガイド部材２０１と同一の基本構成を有するガイド部材２１７の後部下面に支持軸２１７ｃが左右方向（横方向）に設けられている。また、連結部材３１７は、平板部３１７ａが上半部３１７ｂ及び下半部３１７ｃの２つの部材で構成される一方、これらの上半部３１７ｂ及び下半部３１７ｃが後面側に左右方向に沿って配設されている支持軸３１７ｄにより互いに回動可能に連結され、下半部３１７ｃの下端部はその前面側が支持軸１１７ｃに回転可能に支持され、上半部３１７ｂの上端部はその前面側が支持軸２１７ｃに回転可能に支持されている。
【００９３】
こように構成された充電装置１０Ｒでは、その使用時は、図１８（ａ）に示すように、連結部材３１７の上半部３１７ｂ及び下半部３１７ｃが直立した状態にされるが、外出時等には、図１８（ｂ）に示すように、連結部材３１７の上半部３１７ｂ及び下半部３１７ｃの後面側が互いに当接するような状態に折り畳まれることで充電台１１７とガイド部材２１７間の空間が削減されて嵩張らないようにすることができ、これにより持ち運びが容易となる。すなわち、連結部材３１７が高さ方向に伸縮可能に構成されているので、旅行等の外出時にあたって充電装置１０Ｒの持ち運びがきわめて容易となる。なお、連結部材３１７は、上半部３１７ｂ及び下半部３１７ｃの２つの部材からなるものに限定されるものではなく、３つ以上の部材で形成されていてもよい。要は、それらの部材が支持軸の回
りに回動して葛折り状に折り畳み可能となっておればよい。
【００９４】
図１９は、本発明の第１８実施形態に係る充電装置１０Ｓを示す図であり、（ａ）は使用時における斜視図、（ｂ）は持ち運び時における斜視図である。この充電装置１０Ｓは、図１に示す充電装置１０Ａにおける連結部材３０１の充電台１０１に対する取付構造及びガイド部材２０１に対する取付構造が異なる点でのみ相違している。従って、以下にはその相違点を中心に説明する。
【００９５】
すなわち、この充電装置１０Ｓでは、図１に示す充電台１０１と同一の基本構成を有する充電台１１８の後部上面と、図１に示すガイド部材２０１と同一の基本構成を有するガイド部材２１８の後部下面との間に伸縮する複数の襞を有する蛇腹から構成された連結部材３１８が設けられている。
【００９６】
このように構成された充電装置１０Ｓでは、その使用時は、図１９（ａ）に示すように、連結部材３１８が引き伸ばされた状態にされるが、外出時等には、図１９（ｂ）に示すように、連結部材３１８が折り畳まれることで充電台１１８とガイド部材２１８間の空間が削減されて嵩張らないようにすることができ、これにより持ち運びが容易となる。すなわち、連結部材３１８が高さ方向に伸縮可能に構成されているので、旅行等の外出時にあたって充電装置１０Ｓの持ち運びがきわめて容易となる。
【００９７】
図２０は、本発明の第１９実施形態に係る充電装置１０Ｔを示す図であり、（ａ）は使用時における斜視図、（ｂ）は持ち運び時における斜視図である。この充電装置１０Ｔは、図１に示す充電装置１０Ａにおける連結部材３０１の充電台１０１に対する取付構造及びガイド部材２０１に対する取付構造が異なる点でのみ相違している。従って、以下にはその相違点を中心に説明する。
【００９８】
すなわち、この充電装置１０Ｔでは、図１に示す充電台１０１と同一の基本構成を有する充電台１１９の後部上面と、図１に示すガイド部材２０１と同一の基本構成を有するガイド部材２１９の後部下面との間に伸縮式の支柱から構成された連結部材３１９が設けられている。この連結部材３１９は、外径が順次異なるようにされた複数の支柱３１９ａが抜き差し可能に嵌合されることで伸縮するように構成されたものである。
【００９９】
このように構成された充電装置１０Ｔでは、その使用時は、図２０（ａ）に示すように、連結部材３１９が引き伸ばされた状態にされるが、外出時等には、図２０（ｂ）に示すように、連結部材３１９が折り畳まれることで充電台１１９とガイド部材２１９間の空間が削減されて嵩張らないようにすることができ、これにより持ち運びが容易となる。すなわち、連結部材３１９が高さ方向に伸縮可能に構成されているので、旅行等の外出時にあたって充電装置１０Ｔの持ち運びがきわめて容易となる。
【０１００】
図２１は、本発明の第２０実施形態に係る充電装置１０Ｕを示す図であり、（ａ）は使用時における斜視図、（ｂ）は持ち運び時における斜視図である。この充電装置１０Ｕは、図１に示す充電装置１０Ａにおける連結部材３０１の充電台１０１に対する取付構造及びガイド部材２０１に対する取付構造が異なる点でのみ相違している。従って、以下にはその相違点を中心に説明する。
【０１０１】
すなわち、この充電装置１０Ｕでは、図１に示す充電台１０１と同一の基本構成を有する充電台１２０の後部上面と、図１に示すガイド部材２０１と同一の基本構成を有するガイド部材２２０の後部下面との間に多節リンクから構成された連結部材３２０が設けられている。この連結部材３２０は、充電台１２０の後部上面及びガイド部材２２０の後部下面に、両端にそれぞれスライド溝３２０ａが形成された一対の長尺状の支持部材３２０ｂが左右方向に沿って互いに対向して取り付けられると共に、これらのスライド溝３２０ａに左右方向に移動自在に設けられたロッド３２０ｃにリンク３２０ｄが取り付けられて構成されたものである。
【０１０２】
このように構成された充電装置１０Ｕでは、その使用時は、図２１（ａ）に示すように、連結部材３２０が引き伸ばされた状態にされるが、外出時等には、図２１（ｂ）に示すように、連結部材３２０が折り畳まれることで充電台１２０とガイド部材２２０間の空間が削減されて嵩張らないようにすることができ、これにより持ち運びが容易となる。すなわち、連結部材３２０が高さ方向に伸縮可能に構成されているので、旅行等の外出時にあたって充電装置１０Ｕの持ち運びがきわめて容易となる。
【０１０３】
図２２は、本発明の第２１実施形態に係る充電装置１０Ｖを示す図であり、（ａ）は使用時における斜視図、（ｂ）は持ち運び時における斜視図である。この充電装置１０Ｖは、図１に示す充電装置１０Ａにおけるガイド部材２０１及び連結部材３０１が、気体の吹き込みにより膨張する袋体からなるガイド部材２２１と、このガイド部材２２１に連通して形成され、気体の吹き込みにより膨張する袋体からなる連結部材３２１とから構成されている。これらの袋体は、ゴム等の伸縮可能な材料で構成される。なお、ガイド部材２２１を構成する袋体には気体の吹き込み口２２１ｂが設けられている。勿論、気体の吹き込み口２２１ｂは、連結部材３２１を構成する袋体に設けるようにしてもよいことはいうまでもない。
【０１０４】
このように構成された充電装置１０Ｖでは、その使用時は、図２２（ａ）に示すように、気体の吹き込み口２２１ｂから空気等の気体が吹き込まれることによりガイド部材２２１及び連結部材３２１が膨張した状態にされるが、外出時等には、図２２（ｂ）に示すように、気体の吹き込み口２２１ｂから気体を排出させてガイド部材２２１と連結部材３２１とが折り畳まれた状態にする。これにより、充電台１２１とガイド部材２２１間の空間が削減されて嵩張らないようにすることができ、充電装置１０Ｖの持ち運びが容易となる。すなわち、連結部材３２１が高さ方向に伸縮可能に構成されているので、旅行等の外出時にあたって充電装置１０Ｖの持ち運びがきわめて容易となる。
【０１０５】
なお、上記のいずれの実施形態のものにおいても、そこに記載された構成のものに限定されるものではなく、上述した以外の種々の変形態様が可能である。特に、いずれの実施形態においても充電台は、電力伝送トランスＴの一次側コイルＬ１及び二次側コイルＬ２の電磁結合による非接触式のものであるが、充電台と電気機器とに電源端子を取り付けた接触式の構造のものであってもよい。
【図面の簡単な説明】
【０１０６】
【図１】本発明の第１実施形態に係る充電装置の構成を示す図で、（ａ）は分解斜視図、（ｂ）は組立斜視図である。
【図２】図１に示す充電装置に適用される充電回路の構成を示すブロック図である。
【図３】本発明の第２実施形態に係る充電装置の構成を示す分解斜視図である。
【図４】本発明の第３実施形態に係る充電装置の構成を示す分解斜視図である。
【図５】本発明の第４実施形態に係る充電装置の要部を示す分解斜視図である。
【図６】本発明の第５実施形態に係る充電装置の要部を示す分解斜視図である。
【図７】本発明の第６実施形態に係る充電装置の要部を示す分解斜視図である。
【図８】本発明の第７実施形態に係る充電装置の要部を示す分解斜視図である。
【図９】本発明の第８実施形態に係る充電装置の要部を示す分解斜視図である。
【図１０】本発明の第９実施形態に係る充電装置の構成を示す図で、（ａ）は分解斜視図、（ｂ）は使用方法を説明するための図である。
【図１１】本発明の第１０実施形態に係る充電装置の構成を示す図で、（ａ）は分解斜視図、（ｂ）は使用方法を説明するための図である。
【図１２】本発明の第１１実施形態に係る充電装置の構成を示す図で、（ａ）は使用時における斜視図、（ｂ）は持ち運び時における斜視図である。
【図１３】本発明の第１２実施形態に係る充電装置の構成を示す図で、（ａ）は使用時における斜視図、（ｂ）は持ち運び時における斜視図である。
【図１４】本発明の第１３実施形態に係る充電装置の構成を示す図で、（ａ）は使用時における斜視図、（ｂ）は持ち運び時における斜視図である。
【図１５】本発明の第１４実施形態に係る充電装置の構成を示す図である。
【図１６】本発明の第１５実施形態に係る充電装置の構成を示す図で、（ａ）は全体構成図、（ｂ）は使用方法を説明するための図である。
【図１７】本発明の第１６実施形態に係る充電装置の構成を示す図で、（ａ）は使用時における斜視図、（ｂ）は持ち運び時における斜視図である。
【図１８】本発明の第１７実施形態に係る充電装置の構成を示す図で、（ａ）は使用時における斜視図、（ｂ）は持ち運び時における斜視図である。
【図１９】本発明の第１８実施形態に係る充電装置の構成を示す図で、（ａ）は使用時における斜視図、（ｂ）は持ち運び時における斜視図である。
【図２０】本発明の第１９実施形態に係る充電装置の構成を示す図で、（ａ）は使用時における斜視図、（ｂ）は持ち運び時における斜視図である。
【図２１】本発明の第２０実施形態に係る充電装置の構成を示す図で、（ａ）は使用時における斜視図、（ｂ）は持ち運び時における斜視図である。
【図２２】本発明の第２１実施形態に係る充電装置の構成を示す図で、（ａ）は使用時における斜視図、（ｂ）は持ち運び時における斜視図である。
【図２３】従来例の充電装置の構成を示す図で、（ａ）は上面図、（ｂ）は背面図、（ｃ）は側断面図である。
【図２４】充電装置の使用方法を説明するための図である。
【符号の説明】
【０１０７】
１  電源回路部（電力供給手段）
２  受電回路部
１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ，１０Ｍ，１０Ｎ，１０Ｐ，１０Ｑ，１０Ｒ，１０Ｓ，１０Ｔ，１０Ｕ，１０Ｖ  充電装置
１０１，１０２，１０３，１０４，１０５，１０６，１０７，１０８，１０９，１１０，１１１，１１２，１１３，１１４，１１５，１１６，１１７，１１８，１１９，１２０，１２１  充電台
２０１，２０２，２０９，２１０，２１１，２１２，２１３，２１４，２１５，２１６，２１７，２１８，２１９，２２０，２２１  ガイド部材
３０１，３０２，３０４，３０５，３０６，３０７，３０８，３０９，３１０，３１１，３１２，３１５，３１６，３１７，３１８，３１９，３２０，３２１  連結部材
４０３  位置決めプレート
１０４ｃ，１０５ｃ，１０６ｃ  凸状スライド部
１０７ｃ  鉤部材
１０８ｃ  嵌合孔
１０９ｃ  嵌合ボス
１０９ｄ  背板
１１０ｃ  受け部
１１０ｄ，１１０ｅ  係合窪み
１１１ｃ，１１２ｃ  受け部
１１２ｅ  中継部材
１１２ｆ  受入部
１１４ｂ  ねじ山
２１４ｂ  ねじ溝
３０４ｂ，３０５ｂ，３０６ｄ  凹状スライド部
３０１ｆ  壁掛け用の取付孔
３０６ｃ  保持部材
３０７ｂ  係合孔
３０８ｂ  突出部材
３０９ｂ  切り欠き部
３１０ｂ  突起部
ＤＫ  電気機器
ＳＢ  周側部
【図１】
2005348600.tif 000003
【図２】
2005348600.tif 000004
【図３】
2005348600.tif 000005
【図４】
2005348600.tif 000006
【図５】
2005348600.tif 000007
【図６】
2005348600.tif 000008
【図７】
2005348600.tif 000009
【図８】
2005348600.tif 000010
【図９】
2005348600.tif 000011
【図１０】
2005348600.tif 000012
【図１１】
2005348600.tif 000013
【図１２】
2005348600.tif 000014
【図１３】
2005348600.tif 000015
【図１４】
2005348600.tif 000016
【図１５】
2005348600.tif 000017
【図１６】
2005348600.tif 000018
【図１７】
2005348600.tif 000019
【図１８】
2005348600.tif 000020
【図１９】
2005348600.tif 000021
【図２０】
2005348600.tif 000022
【図２１】
2005348600.tif 000023
【図２２】
2005348600.tif 000024
【図２３】
2005348600.tif 000025
【図２４】
2005348600.tif 000026